(57)【要約】【課題】  キャンバ及びビード幅の異なる２種類のルーフパネルに共通に使用可能とし、且つ同位置に艤装品を取り付けることを可能としたルーフパネルの艤装品取付ブラケットを提供する。【解決手段】  キャンバ及び車両前後方向にビードが設けられたルーフパネルの内側にビードを横切って溶着され艤装品を取り付けるルーフパネルの艤装品取付ブラケットであって、ブラケット５は、上面に、キャンバ及びビード幅の異なる第１、第２のルーフパネル１、３の形状に対応して第１のルーフパネルの複数のビード２間のルーフパネル１ｄに溶着するための複数の第１の溶着部５ｂと第２のルーフパネルの複数のビード４間のルーフパネル３ｄに溶着するための複数の第２の溶着部５ｃとが交互に設けられ、下面に、第１の溶着部が第１のルーフパネルに固定されたときに艤装品を中央位置に取り付けるための第１の艤装品取付部５ｆと第２の溶着部が第２のルーフパネルに固定されたときに艤装品を中央位置に取り付けるための第２の艤装品取付部５ｇとが設けられた構成としている。【選択図】      図２
2005247099.tif 000002
【特許請求の範囲】
【請求項１】
キャンバ及び車両前後方向にビードが設けられたルーフパネルの内側に前記ビードを横切って溶着され艤装品を取り付けるルーフパネルの艤装品取付ブラケットであって、
前記ブラケットは、
上面に、キャンバ及びビード幅の異なる第１、第２のルーフパネルの形状に対応して前記第１のルーフパネルの複数のビード間のルーフパネルに溶着するための複数の第１の溶着部と、前記第２のルーフパネルの複数のビード間のルーフパネルに溶着するための複数の第２の溶着部とが交互に設けられ、
下面に、前記第１の溶着部が前記第１のルーフパネルに固定されたときに艤装品を中央位置に取り付けるための第１の艤装品取付部と、前記第２の溶着部が前記第２のルーフパネルに固定されたときに艤装品を中央位置に取り付けるための第２の艤装品取付部とが設けられ、前記第１又は第２のルーフパネルに対して同じ位置に前記艤装品を取付可能としたことを特徴とするルーフパネルの艤装品取付ブラケット。
【請求項２】
前記第１の溶着部と第２の溶着部は、前記第１の溶着部を使用するときには前記第２の溶着部が前記第１のルーフパネルのビードの部位に位置し、前記第２の溶着部を使用するときには前記第１の溶着部が前記第２のルーフパネルのビードの部位に位置することを特徴とする請求項１記載のルーフパネルの艤装品取付ブラケット。
【請求項３】
前記ブラケットは上方に開口するハット形断面形状をなし、開口端両側のフランジに前記第１及び第２の溶着部が設けられ、下面に前記第１及び第２の艤装品取付部が設けられていることを特徴とする請求項１又は２記載のルーフパネルの艤装品取付ブラケット。
【発明の詳細な説明】
【技術分野】
【０００１】
本発明は、キャンバ及びビードが設けられたキャブのルーフパネルの内側に溶着されて艤装品を取り付けるルーフパネルの艤装品取付ブラケットに関し、より詳しくは、キャンバ及びビード幅の異なる２種類のルーフパネルに共通に使用可能とし、且つ同位置に艤装品を取り付けることを可能としたルーフパネルの艤装品取付ブラケットに関する。
【背景技術】
【０００２】
車両のキャブのルーフパネルは、剛性を高めるために上方に僅かに円弧状の反り（以下「キャンバ」という）、及び車両前後方向に所定間隔で複数のビードが設けられている。運転室内には種々の艤装品が配置されており、例えば、室内灯は、ルーフパネルの内側に溶着された艤装品取付ブラケットに固定されている。艤装品取付ブラケットは、ハット形断面形状をなし、前記ビードを複数横切るようにルーフの前部位置に車幅方向に沿って配置され、開口端両側のフランジ面が前記複数のビード間のルーフパネル下面に溶着され、下面に前記室内灯の取付孔が設けられた構造とされている。
【０００３】
キャブのルーフ構造として、車両前後方向に延び、車幅方向に所定間隔で複数のビードが形成されたルーフパネルの内側面（下面）に、平鋼板又は倒立ハット形断面を有する鋼板製のルーフボウを前記複数のビードを横切るように車幅方向に配置して開口端両側のフランジを前記ビードの下面に溶着し、前記ルーフパネルを補強するようにしたルーフの構造が提案されている（例えば、特許文献１参照）。
【特許文献１】実開平３−６４１７４号公報
【発明の開示】
【発明が解決しようとする課題】
【０００４】
キャブのルーフパネルは、車種例えば、大型車と中型車によりキャンバ及びビード幅が異なり、これらキャンバ及びビード幅の異なる２種類のルーフパネル形状に対して、車室の同じ位置に前記室内灯等の艤装品を取り付ける場合、ルーフ形状に合わせて２種類の艤装品取付ブラケットを設定している。このため、２種類のブラケットの製造設備を必要とし、設備投資が増大する。また、部品点数の増大を来す等の問題がある。また、特許文献１に開示されているルーフボウは、ルーフパネルを補強するためのものであり、艤装品を取り付けるためのものではない。
【０００５】
本発明は、上述の点に鑑みてなされたもので、キャンバ及びビード幅の異なる２種類のルーフパネルに共通に使用可能とし、且つ同位置に艤装品を取り付けることを可能としたルーフパネルの艤装品取付ブラケットを提供することを目的とする。
【課題を解決するための手段】
【０００６】
上記目的を達成するために請求項１の発明によれば、キャンバ及び車両前後方向にビードが設けられたルーフパネルの内側に前記ビードを横切って溶着され艤装品を取り付けるルーフパネルの艤装品取付ブラケットであって、前記ブラケットは、上面に、キャンバ及びビード幅の異なる第１、第２のルーフパネルの形状に対応して前記第１のルーフパネルの複数のビード間のルーフパネルに溶着するための複数の第１の溶着部と、前記第２のルーフパネルの複数のビード間のルーフパネルに溶着するための複数の第２の溶着部とが交互に設けられ、下面に、前記第１の溶着部が前記第１のルーフパネルに固定されたときに艤装品を中央位置に取り付けるための第１の艤装品取付部と、前記第２の溶着部が前記第２のルーフパネルに固定されたときに艤装品を中央位置に取り付けるための第２の艤装品取付部とが設けられ、前記第１又は第２のルーフパネルに対して同じ位置に前記艤装品を取付可能とした構成としている。
【０００７】
第１のルーフパネルにブラケットを取り付ける場合には前記ルーフパネルの中央の複数のビードを横切り、第１の艤装品取付部がルーフパネルの中央に位置するように配置して各第１の溶着部をこれらビード間のルーフパネルの下面に密接させてスポット溶接により溶着する。そして、前記第１の艤装品取付部に室内灯等の艤装品を取り付ける。
また、第２のルーフパネルに前記ブラケットを取り付ける場合には前記第２のルーフパネルの中央の複数のビードを横切るようにずらし、第２の艤装品取付部が前記ルーフパネルの中央に位置するように配置して各第２の溶着部をこれらビード間のルーフパネルの下面に密接させてスポット溶接により溶着する。そして、前記第２の艤装品取付部に室内灯等の艤装品を取り付ける。これにより、ブラケットは、キャンバ及びビード幅の異なる２種類のルーフ形状のルーフパネルに対して共通に使用可能、且つ同じ位置に艤装品を取り付けることが可能となる。
【０００８】
請求項２の発明では、請求項１記載のルーフパネルの艤装品取付ブラケットにおいて、前記第１の溶着部と第２の溶着部は、前記第１の溶着部を使用するときには前記第２の溶着部が前記第１のルーフパネルのビードの部位に位置し、前記第２の溶着部を使用するときには前記第１の溶着部が前記第２のルーフパネルのビードの部位に位置する構成としている。
【０００９】
前記ブラケットが第１のルーフパネルに溶着されるときには第２の溶着部がビードの部位に位置してルーフパネルとの干渉が防止される。また、前記ブラケットが第２のルーフパネルに溶着されるときには第１の溶着部がビードの部位に位置してルーフパネルとの干渉が防止される。
請求項３の発明では、請求項１又は２記載のルーフパネルの艤装品取付ブラケットにおいて、前記ブラケットは上方に開口するハット形断面形状をなし、開口端両側のフランジに前記第１及び第２の溶着部が設けられ、下面に前記第１及び第２の艤装品取付部が設けられている構成としている。
【００１０】
第１のルーフパネルに前記ブラケットを適用するときにはハット形断面のフランジに設けた第１の溶着部により前記第１のルーフパネルに溶着し、下面の第１の艤装品取付部に艤装品を取り付ける。第２のルーフパネルに前記ブラケットを適用するときには第２の溶着部により前記第２のルーフパネルに溶着し、下面の第２の艤装品取付部に艤装品を取り付ける。
【発明の効果】
【００１１】
請求項１の発明によれば、キャンバ及びビード幅の異なる２種類のルーフパネル形状に対して艤装品の取付位置を同位置に設定することを可能とし、艤装品取付ブラケットを共通化することができ、設備投資を抑制することが可能となる。また、艤装品取付ブラケットを共通化することで量産効果によりコストの低減が図られると共に部品点数の低減が図られる。
【００１２】
請求項２の発明によれば、キャンバ及びビード幅の異なる２種類のルーフパネル形状に対してブラケットをずらして溶着するだけでよく、第１のルーフパネルに適用する場合に第２の溶着部がルーフパネルに当たることが防止され、第２のルーフパネルに適用する場合に第１の溶着部がルーフパネルに当たることが防止される。これにより、前記ブラケットをルーフ形状の異なる第１、第２のルーフパネルに簡単に適用することが可能である。
【００１３】
請求項３の発明によれば、ブラケットをハット形断面形状とすることで、板厚を薄くすることができ、軽量化を図ることが可能となる。また、ハット形断面の下面に第１、第２の艤装品取付部を設けることで、艤装品を安定に取り付けることが可能となる。
【発明を実施するための最良の形態】
【００１４】
以下、本発明の実施形態を図面により詳細に説明する。
図１は、本発明に係るルーフパネルの艤装品取付ブラケットを適用した車両のキャブのルーフパネルの斜視図、図２は、図１に示すルーフパネルの矢線II−IIに沿う断面図である。図１及び図２に示すようにキャブのルーフパネル１は、剛性を高めるためにキャンバ及びビード２が設けられている。前記キャンバは、ルーフパネル１の中央部１ａが上方に凸の大きな円弧状に反り、前部１ｂ及び後部１ｃが下方に湾曲した形状をなしている。ビード２は、ルーフパネル１の前部１ｂの後端から後部１ｃまで車両前後方向に沿って且つ車幅方向に所定の間隔を存して複数設けられている。この図１及び図２に示すルーフパネル１を第１のルーフ形状のルーフパネルという。
【００１５】
図３は、第２のルーフ形状のルーフパネル３の断面を示し、第１のルーフパネル１と同様にキャンバ及びビード４が設けられている。この第２のルーフパネル３は、キャンバ及びビード４の幅が第１のルーフパネル１のキャンバ及びビード２の幅と異なる形状とされている。即ち、第１のルーフパネル１と第２のルーフパネル３は、キャンバ及びビード幅が異なるルーフ形状とされている。
【００１６】
図１に戻り、艤装品取付ブラケット（以下単に「ブラケット」という）５は、ルーフパネル１の中央部１ａの内側の前部１ｂ寄り略中央位置に車幅方向に複数のビード２の前部を横切るように配置され、上面がこれらのビード２間のルーフパネル１ｄの下面に溶着固定される。尚、図１においてブラケット５は、分かり易くするために実線で描いてある。
ブラケット５は、キャンバ及びビード幅の異なる前記第１のルーフパネル１と第２のルーフパネル３に共通に使用可能とされており、図４及び図５に示すように断面ハット形状をなし、開口端両側のフランジ５ａに、第１の溶着部５ｂと第２の溶着部５ｃとが交互に所定の間隔を存して複数例えば、３個づつ設けられている。第１の溶着部５ｂは、図１及び図２に示す第１の形状のルーフパネル１の隣り合うビード２間のルーフパネル１ｄに位置し且つ密接するように一側端（右端）から設けられている。第２の溶着部５ｃは、図３に示す第２の形状のルーフパネル３の隣り合うビード４間の各ルーフパネル３ｄに位置し且つ密接するように設けられている。
【００１７】
そして、ブラケット５は、図２及び図７に示すように各第１の溶着部５ｂが第１のルーフパネル１のビード２間の各ルーフパネル１ｄに溶着される場合各第２の溶着部５ｃが各ビード２の部位（室内側から見て谷の部位）に位置し、図３及び図８に示すように各第２の溶着部５ｃが第２のルーフパネル３のビード４間の各ルーフパネル３ｄに溶着される場合各第１の溶着部５ｂが各ビード４の部位（室内側から見て谷の部位）に位置するように設定されている。これら第１、第２の溶着部５ｂ、５ｃは、フランジ５ａの上面を凹凸させて形成されている。このブラケット５は、鋼板をプレス加工して形成されている。
【００１８】
図６に示すようにブラケット５の下面５ｄには、第１の艤装品取付部５ｆと第２の艤装品取付部５ｇとが交互に所定の間隔を存して複数例えば、２個づつ設けられている。これらの艤装品取付部５ｆ、５ｇは、下面５ｄにボルト孔を穿設し、内側面にナット６を溶着して構成されている。尚、ボルト孔に代えてねじ孔としナットを省略することもできる。
そして、第１の艤装品取付部５ｆは、図７に示すように第１の溶着部５ｂが第１のルーフパネル１の中央の３本のビード２間のルーフパネル１ｄに溶着されたときにルーフパネル１の中心位置Ｏから左右対称に距離ｄの位置に位置するように設けられている。第２の艤装品取付部５ｇは、図８に示すようにブラケット５の第２の溶着部５ｃが第２のルーフパネル３の中央の３本のビード４間のルーフパネル３ｄに溶着されたときにルーフパネル３の中心位置Ｏから左右対称に前記距離ｄの位置に位置するように設けられている。即ち、第１の艤装品取付部５ｆと第２の艤装取付部５ｇとが同じ位置に位置するように設けられている。
【００１９】
以下に作用を説明する。
図２及び図７に示すように第１のルーフパネル１にブラケット５を取り付ける場合には、ルーフパネル１の中央の３本のビード２を横切るように配置して各第１の溶着部５ｂをこれらビード２間の各ルーフパネル１ｄの下面に密接させ、且つ左右の第１の艤装品取付部５ｆがルーフパネル１の中心位置Ｏから左右対称に位置するように配置してスポット溶接により溶着する。この状態において、ブラケット５の各第２の溶着部５ｃが各ビード２の部位に位置しており、ルーフパネル１との干渉が防止される。そして、左右の第１の艤装品取付部５ｆに室内灯等の艤装品（図示せず）が取り付けられる。これにより、前記室内灯が中央位置に配置される。
【００２０】
また、図３及び図８に示すように第２のルーフパネル３にブラケット５を取り付ける場合には、ルーフパネル３の中央の３本のビード４を横切るようにずらして配置して各第２の溶着部５ｃをこれらビード４間の各ルーフパネル３ｄに密接させ、且つ左右の第２の艤装品取付部５ｇがルーフパネル３の中心位置Ｏから左右対称に位置するように配置してスポット溶接により溶着する。この状態において、ブラケット５の各第１の溶着部５ｂが各ビード４の部位に位置しており、ルーフパネル３との干渉が防止される。そして、左右の第２の艤装品取付部５ｇに室内灯等の艤装品（図示せず）が取り付けられる。これにより、ブラケット５は、キャンバ及びビード幅の異なる２種類のルーフ形状のルーフパネル１、３に対して同じ位置に室内灯等の艤装品を取り付けることが可能となる。
【００２１】
尚、上記実施例では艤装品ブラケット５をハット形断面形状とし、開口部両側のフランジ面に第１、第２の溶着部５ｂ、５ｃを、下面に第１、第２の艤装品取付部５ｆ、５ｇを設けた構成としたが、これに限るものではなく、平鋼板に第１、第２の溶着部を凹凸させて形成し、第１、第２の艤装品取付部としてのねじ孔、又はボルト孔を穿設してナットを溶着してもよい。或いは、Ｌ形鋼を使用し、垂直部の端面に第１、第２の溶着部を凹凸させて形成し、水平部に第１、第２の艤装品取付部としてのねじ孔、又はボルト孔を穿設してナットを溶着してもよい。
【００２２】
また、上記実施例では第１、第２の艤装品取付部５ｆ、５ｇを夫々２箇所づつ設けた場合について記述したがこれに限るものではなく、１箇所或いは２箇所以上設けてもよいことは勿論である。
【図面の簡単な説明】
【００２３】
【図１】本発明に係るルーフパネルの艤装品取付ブラケットを適用したキャブの第１のルーフ形状のルーフパネルの斜視図である。
【図２】図１に示すルーフパネルの矢線II−II方向断面図である。
【図３】第２のルーフ形状のルーフパネルに図１に示すブラケットを適用した場合の断面図である。
【図４】図１に示す艤装品取付ブラケットの正面図である。
【図５】図４に示す艤装品取付ブラケットの端面図である。
【図６】図５に示す艤装品取付ブラケットの矢線VI―VI方向断面図である。
【図７】図２に示すルーフパネルの要部拡大図である。
【図８】図３に示すルーフパネルの要部拡大図である。
【符号の説明】
【００２４】
１、３  ルーフパネル
２、４  ビード
５  艤装品取付ブラケット
５ａ  フランジ
５ｂ  第１の溶着部
５ｃ  第２の溶着部
５ｆ  第１の艤装品取付部
５ｇ  第２の艤装品取付部
６  ナット
【図１】
2005247099.tif 000003
【図２】
2005247099.tif 000004
【図３】
2005247099.tif 000005
【図４】
2005247099.tif 000006
【図５】
2005247099.tif 000007
【図６】
2005247099.tif 000008
【図７】
2005247099.tif 000009
【図８】
2005247099.tif 000010